(57)【要約】      （修正有）【課題】薄肉部を有し制振特性に優れた光ピックアップレンズホルダー部品を、樹脂の射出成形で得ること。【解決手段】全芳香族液晶ポリエステルが、ｐ−ヒドロキシ安息香酸６０〜７０モル％、テレフタル酸および４，４’−ジヒドロキシビフェニルあわせて４０〜３０モル％、イソフタル酸および／またはヒドロキノン０〜５モル％（いずれにおいてもこれらの誘導体を含む。これらの合計を１００モル％とする。）を重縮合してなる全芳香族液晶ポリエステル１００質量部と、数平均繊維長３０〜２００μｍの範囲にあるピッチ系炭素繊維１０〜１００質量部とを溶融混練して得ることができる全芳香族液晶ポリエステル樹脂組成物を使用する。【選択図】  なし【特許請求の範囲】
【請求項１】
全芳香族液晶ポリエステルと１００質量部と炭素繊維１０〜１００質量部とを溶融混練して得ることができる全芳香族液晶ポリエステル樹脂組成物であって、当該組成物中の全芳香族液晶ポリエステルが、ｐ−ヒドロキシ安息香酸６０〜７０モル％、テレフタル酸および４，４’−ジヒドロキシビフェニルあわせて４０〜３０モル％、イソフタル酸および／またはヒドロキノン０〜５モル％（いずれにおいてもこれらの誘導体を含む。これらの合計を１００モル％とする。）を重縮合してなる全芳香族液晶ポリエステルであることおよび炭素繊維が数平均繊維長３０〜２００μｍの範囲にあるピッチ系炭素繊維であることを特徴とする厚さ０．３ｍｍ以下の部分を含み、２次共振点の周波数が２５００Ｈｚ以上かつ損失係数が０．１０である制振性に優れた光ピックアップレンズホルダーの射出成形に用いられる全芳香族液晶ポリエステル樹脂組成物。
【請求項２】
ピッチ系炭素繊維が光学的に異方性を示すメソフェーズピッチを原料とする炭素繊維であることを特徴とする請求項１に記載の全芳香族液晶ポリエステル樹脂組成物。
【請求項３】
ピッチ系炭素繊維の電気抵抗度が３×１０−６Ωｍ未満、かつ、熱伝導度が５００Ｗ/ｍＫ以上であることを特徴とする請求項１〜２のいずれかに記載の全芳香族液晶ポリエステル樹脂組成物。
【請求項４】
請求項１〜３のいずれかの全芳香族液晶ポリエステル樹脂組成物を射出成形して得られる厚さ０．３ｍｍ以下の部分を含み、２次共振点の周波数が２５００Ｈｚ以上かつ損失係数が０．１０以上である制振性に優れた光ピックアップレンズホルダー。
【発明の詳細な説明】
【技術分野】
【０００１】
本発明は、情報記録再生装置に使用される光ピックアップレンズホルダーに使用される全芳香族液晶ポリエステル樹脂組成物および該樹脂組成物の射出成形体を構成部材として含む光ピックアップレンズホルダーに関する。
【背景技術】
【０００２】
光ピックアップは、コンパクトディスク、レーザーディスク、ビデオディスク、光磁気ディスク等に用いられ、半導体レーザーをレンズで数μｍ径スポットまで絞って照射し、ディスク上に記録された情報を読み取るものであり、一般に発光素子、受光素子、ミラー等の光学素子等を固定する光フレームと、対物レンズ、対物レンズホルダーを光ディスクの動きに追従させるためのアクチュエーター部と、このアクチュエーター部を保持し光フレームとの光学路を形成するベースフレームとから構成されている。
【０００３】
光ピックアップの軽量化、低コスト化が促進され、構成材料を金属から樹脂に代替する試みがなされており、特に液晶ポリエステル樹脂は、熱可塑性樹脂の中でも、機械的特性、成形性、寸法精度、耐熱性および制振性に優れていることからレンズホルダー、ベースフレーム等の光ピックアップ部材として注目されてきた。しかし、近年のデジタルディスク駆動装置の扱う情報の大容量化、高速化に伴い、制振特性に対する要求が厳しくなっており、これを構成する液晶ポリエステル樹脂組成物にも高度の特性が要求されるようになった。
【０００４】
近年の光ピックアップレンズホルダーにおいては、特に厚さ０．３ｍｍ以下の部分を含むものにおいては、全芳香族液晶ポリエステル樹脂組成物のみで射出成形体を製造した場合、射出成形製品の表面でのフィブリルの発生・剥離等が光ピックアップレンズホルダーとして問題となる場合がある。
さらに、例えば、０．３ｍｍ厚み部分を含むものにおいても、２次共振点の周波数２５００Ｈｚ以上かつ損失係数０．１０以上が要求されるようになっている。また、これらは、低消費電力で駆動されることを前提としているから、金属材料では、低比重であるマグネシユウムでも比重１．８であり、また、その損失係数は小さいから満足することができない。
【０００５】
従来から、光ピックアップ部材に適した液晶ポリエステル樹脂組成物としては、液晶ポリエステルと繊維状充填材からなる組成物がいくつか提案されている。液晶樹脂に炭素繊維（特にPAN系）、ガラス繊維を配合した樹脂組成物の成形体であって、曲げ弾性率が高く、振動減衰性に優れ、成形時のバリの発生が少ない光ピックアップのレンズホルダーが提案されている（特許文献１参照）。液晶ポリエステルに平均繊維径が３〜１８μｍ、平均繊維長が１〜１０００μｍのピッチ系炭素繊維を配合した樹脂組成物が、優れた機械的特性、耐熱性、薄肉成形性、寸法精度を有し、摺動性と面衝撃強度を改良するものであるとして提案されている（特許文献２参照）。また、液晶ポリマーにガラス繊維、炭素繊維等を配合した、特定のパラメータ（損失係数×弾性率、弾性率/比重）を満たす樹脂組成物用いることを提案している（特許文献３参照）。さらに、サーモトロピック液晶ポリエステルと特定の引張弾性率、繊維長、アスペクト比を有する炭素繊維を配合して、低成形収縮率、寸法精度およびアルミニウムに近い線膨張係数を与える射出成形用組成物が提案されている（特許文献４参照）。
【０００６】
しかし、通常、ガラス繊維を充填した樹脂組成物では２次共振周波数が低くなる傾向があり、炭素繊維を充填した組成物では、２次共振周波数は高くなるが、損失係数が低くなる傾向がある。また公知の充填剤を多量に含有させた場合、全芳香族ポリエステルの優れた制振性効果が十分に発揮されない場合がある。さらに、従来の技術においては、２次共振点の周波数２５００Ｈｚ以上かつ損失係数０．１０以上を満足する厚さ０．３ｍｍ以下の部分を含む光ピックアップレンズホルダーを実現するに至っていない。
【特許文献１】特開２００２−１９７６９１号公報
【特許文献２】特開平６−１７２６１９号公報
【特許文献３】特開平１１−１２６３５１号公報
【特許文献４】特開平７−２５２４０６号公報
【発明の開示】
【発明が解決しようとする課題】
【０００７】
本発明の課題は、近年のデジタルディスク駆動装置の扱う情報の大容量化、高速化に対応するために、制振特性、特に２次共振点の周波数が２５００Ｈｚ以上かつ損失係数が０．１０以上を満たし、かつ厚さ０．３ｍｍ以下の部分を含む光ピックアップレンズホルダー部品を、射出成形で得るための樹脂組成物を提供することを目的とする。
【課題を解決するための手段】
【０００８】
すなわち本発明の第1は、全芳香族液晶ポリエステルと１００質量部と炭素繊維１０〜１００質量部とを溶融混練して得ることができる全芳香族液晶ポリエステル樹脂組成物であって、当該組成物中の全芳香族液晶ポリエステルが、ｐ−ヒドロキシ安息香酸６０〜７０モル％、テレフタル酸および４，４’−ジヒドロキシビフェニルあわせて４０〜３０モル％、イソフタル酸および／またはヒドロキノン０〜５モル％（いずれにおいてもこれらの誘導体を含む。これらの合計を１００モル％とする。）を重縮合してなる全芳香族液晶ポリエステルであることおよび炭素繊維が数平均繊維長３０〜２００μｍの範囲にあるピッチ系炭素繊維であることを特徴とする厚さ０．３ｍｍ以下の部分を含み、２次共振点の周波数が２５００Ｈｚ以上かつ損失係数が０．１０である制振性に優れた光ピックアップレンズホルダーの射出成形に用いられる全芳香族液晶ポリエステル樹脂組成物である。
【０００９】
本発明の第２は、本発明の第1において、ピッチ系炭素繊維が光学的に異方性を示すメソフェーズピッチを原料とする炭素繊維であることを特徴とする全芳香族液晶ポリエステル樹脂組成物である。
【００１０】
本発明の第３は、本発明の第１または第２において、ピッチ系炭素繊維の電気抵抗度が３×１０−６Ωｍ未満、かつ、熱伝導度が５００Ｗ/ｍＫ以上であることを特徴とする全芳香族液晶ポリエステル樹脂組成物である。
【００１１】
本発明の第４は、本発明の第１〜３のいずれかの全芳香族液晶ポリエステル樹脂組成物を射出成形して得られる厚さ０．３ｍｍ以下の部分を含み、２次共振点の周波数が２５００Ｈｚ以上かつ損失係数が０．１０以上である制振性に優れた光ピックアップレンズホルダーである。
【発明の効果】
【００１２】
本発明によれば、０．３ｍｍ以下の薄肉部を有する光ピックアップレンズホルダーであっても、制振性が改良された光ピックアップレンズホルダーを得ることができる。
【発明を実施するための最良の形態】
【００１３】
以下、本発明を詳細に説明する。
本発明に係る全芳香族液晶ポリエステル樹脂組成物は、特定の構造を有する全芳香族液晶ポリエステル、それに含有される特定の数平均繊維長を有するピッチ系炭素繊維からなることを基本構造とし、当該全芳香族液晶ポリエステルの有する制振特性を、射出成形工程を経由してその特性を光ピックアップレンズホルダー中に出現させるものである。
【００１４】
本発明で用いる全芳香族液晶ポリエステル樹脂は、ｐ−ヒドロキシ安息香酸６０〜７０モル％、テレフタル酸および４，４’−ジヒドロキシビフェニルあわせて４０〜３０モル％、イソフタル酸および／またはヒドロキノン０〜５モル％（いずれにおいてもこれらの誘導体を含む。以下、特に断らない限り誘導体を含む。）を使用し、これらの合計を１００モル％とした原料を重縮合してなる。イソフタル酸および／またはヒドロキノンは、要求性能に応じて、任意成分として適宜使用することができる。これらの誘導体としては、公知の誘導体のいずれも用いることができるが、フェノール性水酸基をアシル化したもの、例えば、酢酸または無水酢酸によるアセチル化誘導体またはフェノール類によるフェニルエステル化誘導体が溶融重合の進行が早く副反応を抑制でき、モノマー原料の配合が全芳香族ポリエステル樹脂の分子構造に反映されるので好ましい。
【００１５】
本発明者らは、ｐ−ヒドロキシ安息香酸、テレフタル酸、４、４´−ジヒドロキシビフェニルが全モノマーの９５〜１００モル％からなることにより全芳香族ポリエステル分子構造に高い剛直性が付与されること、かつ、その分子構造の６０〜７０モル％を特に剛直付与効果が高いｐ−ヒドロキシ安息香酸が占めること、ベンゼン環が炭素結合およびエステル結合等で連結される構造を有すること等が相乗効果的に光ピックアップレンズホルダー等に対する制振性付与に大きな効果を与えていると考えている。
特に、ｐ−ヒドロキシ安息香酸の含有量は重要であって、これは、６０モル％未満では剛直性の付与が十分でなく、７０モル％を超えると溶融温度が高目となり、通常の射出成形において分解等が生じるためか成形体中での上記分子構造効果の出現が不十分となる。
【００１６】
全芳香族ポリエステルの融点あるいは射出成形温度の低下調整の目的で任意成分として併用可能なモノマーとしては数多くのモノマーが公知であるが、本発明の全芳香族液晶ポリエステルにおいては、上記制振特性を維持するために、イソフタル酸、ヒドロキノンを使用することが好ましい。ただし、これらの芳香族化合物が５モル％を超えると、分子構造の剛直性低下のためか制振特性が低下するので好ましくない。これらが好ましい理由は明らかではないが、これらが芳香族環を１つのみ有する構造を有していることから、これらの含有にかかわらず、全芳香族ポリエステルの分子構造において、ベンゼン環が炭素結合およびエステル結合等で連結される基本構造が保たれるためと推定される。
【００１７】
本発明の全芳香族液晶ポリエステルの製造は、これらのモノマーを使用して公知の溶融重縮合、または、溶融重縮合と固相重縮合で行うことができる。重縮合反応において触媒は使用してもしなくてもよい。使用する触媒としては、ポリエステルの重縮合用触媒として従来公知の触媒を使用することができ、酢酸マグネシウム、酢酸第一錫、テトラブチルチアネート、酢酸鉛、酢酸ナトリウム、酢酸カリウム、三酸化アンチモンなどの金属塩触媒、Ｎ−メチルイミダゾールなどの有機化合物触媒等が挙げられる。
【００１８】
また,溶融重縮合における重合器は特に限定されるものではないが,一般の高粘度反応に用いられる攪拌設備、例えば錨型、多段型、螺旋帯、螺旋軸等の各種形状の攪拌機またはそれらを変形したものを有する攪拌槽型重合器、具体的にはワーナー式ミキサー、バンバリーミキサー、ポニーミキサー、ミュラーミキサー、ロールミル、連続操作可能のコニーダー、パグミル、ギアーコンパウンダーなどから選ぶことが望ましい。
【００１９】
本発明においては、炭素繊維の、（１）低比重かつ高弾性率の特性に基づく効果、（２）繊維状形状の特性に基づく異方性付与効果、（３）成形体が有する光ピックアップレンズホルダーの表面形状にあたえる影響等を考慮しなければならない。
これらの点を総合的に判断して、本発明においては、炭素繊維として、ピッチ系炭素繊維を使用する。
【００２０】
本発明においては、ピッチ系炭素繊維の数平均繊維長を３０〜２００μｍの範囲とする。この範囲は、射出成形において、これら繊維が本発明に係る全芳香族液晶ポリエステル組成物の流動に追従して、その流動方向に沿って容易に配向する繊維の数平均長さの範囲であり、かつ、射出成形品としての光ピックアップレンズホルダーに高弾性率を付与する繊維状充填剤材としての形状を有する範囲である。なお、数平均繊維長が３０μｍ未満であると、配向は容易であるが高弾性率を得ることが困難であり、２００μｍを超えると高弾性率を得ることは容易であるが流動方向に沿った均一な配向を得ることが容易ではない。
【００２１】
本発明者らは、ピッチ系炭素繊維がＰＡＮ系炭素繊維に比べて優れた光ピックアップレンズホルダーを与えるのは、ピッチ系炭素繊維が光学的に異方性を示すメソフェーズピッチを原料として得られたものであることに起因する、その異方性（繊維の伸長方向に分子が配向していること、および、その断面構造がオニオン構造を有していること。以下、同じ。）の大きさに依存していると考えている。すなわち、本発明に係る全芳香族液晶ポリエステル樹脂組成物の射出成形体からなる光ピックアップレンズホルダーにおいては、上述した理由により剛直分子の配向方向と含有される高弾性繊維状充填剤の配向方向同士が近似し、かつ、炭素繊維内の配向方向もこれらに近似していることが本発明に係る光ピックアップレンズホルダーにおける良好な制振性を与えているものと考えている。
【００２２】
さらに、ピッチ系繊維の中でもオニオン構造の発現の由来となる芳香環の連続した領域が大きいことが好ましく、発明者らは当該構造が優れた制振性の寄与に関していると考えている。この領域のピッチ系炭素繊維中の相対的な大きさは、電気抵抗度、熱伝導度の値に対応することが経験的に知られているから、これらの値がそれぞれ３×１０−６Ωｍ未満、５００Ｗ/ｍＫ以上のものが好ましい。この特性を満たすものとして、日本グラファイトフイバーのＣＮ−９０Ｃ、ＸＮ−１００が市場から入手できる。
【００２３】
本発明に係るピッチ系炭素繊維の数平均繊維長の範囲は、通常のチョップドストランドタイプの炭素繊維を含む全芳香族液晶ポリエステル組成物を公知の方法で溶融混練することで得ることができる。すなわち、常法に従い、適宜混練条件または混練機を選択すれば、混練操作中に切断が生じて、適切な繊維長に収まる。この数値範囲内にない数平均繊維長３０μｍ未満の値を有するミルドファイバー単独での使用、あるいは、ロービングタイプの炭素繊維の連続投入等は避けるべきである。
【００２４】
また、本発明においては炭素繊維が１０質量部より少ないときは、全芳香族ポリエステルのフィブリルの生成可能性に起因する表面特性低下の観点から好ましくない。一方、１００質量部より多いときは、射出成形時の流動性不足に起因する表面特性低下の観点から好ましくない。特に好ましい範囲は、２０〜８０質量部である。
【００２５】
本発明では、その効果を妨げない範囲で他の充填剤、例えば、カーボンブラック、黒鉛、シリカ、石英粉末、ガラスビーズ、ガラス粉、ケイ酸カルシウム、ケイ酸アルミニウム、タルク、クレー、ケイ藻土、などのケイ酸塩、酸化鉄、酸化チタン、酸化亜鉛、三酸化アンチモン、アルミナ、硫酸カルシウム、その他各種金属粉末、各種金属箔、フッ素系ポリマー、芳香族ポリエステル、芳香族ポリイミド、ポリアミドなどからなる耐熱性高強度の繊維のような有機充填剤などが挙げられる。
【００２６】
更に、本発明の組成物には、本発明の目的を損なわない範囲で、酸化防止剤および熱安定剤（たとえばヒンダードフェノール、ヒドロキノン、ホスファイト類およびこれらの置換体など）、紫外線吸収剤（たとえばレゾルシノール、サリシレート、ベンゾトリアゾール、ベンゾフェノンなど）、滑剤および離型剤（モンタン酸およびその塩、そのエステル、そのハーフエステル、ステアリルアルコール、ステアラミドおよびポリエチレンワックスなど）、染料（たとえばニグロシンなど）および顔料（たとえば硫化カドミウム、フタロシアニン、カーボンブラックなど）を含む着色剤、可塑剤、帯電防止剤、難燃剤などの通常の添加剤や他の熱可塑性樹脂を添加して、所定の特性を付与することができる。
【００２７】
本発明の全芳香族液晶ポリエステル樹脂組成物は、当該技術分野で一般的に使用されている溶融混練方法で得ることができるものであり、製造方法に特に制限はない。好ましい製造法としては、１対の２条スクリュを有する混練機で、ホッパーから投入した全芳香族液晶ポリエステルおよび炭素繊維を投入する方法が挙げられる。この混練機は、２軸混練機と呼ばれるものであり、その中でも切り替えし機構を有することで充填剤の均一分散を可能とする同方向回転式であるもの、充填剤の食い込みが容易となるバレル−スクリュウ間の空隙が大きい４０ｍｍφ以上のシリンダー径を有するものが好ましい。さらに、スクリュウ間の大きいかみ合い率１．４５以上のものを使用すると、サイジング剤等の揮発成分が容易に除去でき、射出成形時において、特に表面状態の優れを与える本発明に係る全芳香族ポリエステル樹脂組成物が効率よく得ることができる。
【００２８】
このようにして得られる全芳香族液晶ポリエステル樹脂組成物は、2次共振点の周波数と損失係数が共に要求性能を満たしており、０．３ｍｍ以下、好ましくは０．３〜０．０５ｍｍの厚みを有する光ピックアップレンズホルダー部材として好適である。
【実施例】
【００２９】
以下、実施例および比較例により本発明をさらに具体的に説明するが、本発明は以下の実施例に限定されるものではない。
【００３０】
以下のとおり全芳香族液晶ポリエステルＡ〜Ｆを製造した。全芳香族液晶ポリエステルＡ〜Ｃは本発明の要件を充足するものであり、全芳香族液晶ポリエステルＤ〜Ｆは本発明の要件を充足しないものである。
【００３１】
全芳香族液晶ポリエステルＡの製造：
溶融重縮合：ＳＵＳ３１６を材質とし、ダブルヘリカル攪拌翼を有する１７００Ｌ重合槽（神戸製鋼所製）にｐ−ヒドロキシ安息香酸１９７．５ｋｇ（１．４３キロモル：６５モル％）、４，４’−ジヒドロキシジフェニル７１．７ｋｇ（０．３８５キロモル：１７．５モル％）、テレフタル酸６４．０ｋｇ（０．３８５キロモル：１７．５モル％）、触媒として酢酸カリウム０．０６ｋｇを仕込み、重合槽の減圧−窒素注入を２回行って窒素置換した後、無水酢酸２４２．６ｋｇ（２．３キロモル）を添加し、攪拌翼の回転数４５ｒｐｍで１５０℃まで１．５時間で昇温して還流状態で２時間アセチル化反応を行った。アセチル化終了後、酢酸留出状態にして０．５℃／分で昇温して、３０５℃において重合物を重合槽下部の抜き出し口から取り出した。
【００３２】
固相重縮合：
取り出した該重合体を冷却固化した後、ホソカワミクロン株式会社製の粉砕機により粉砕してプレポリマーを得た。得られたプレポリマーは、高砂工業株式会社製のロータリーキルンを用い固相重縮合を行った。キルン内筒の形状は概ね正６角形であり、一辺の長さ５００ｍｍ、全長３５００ｍｍである。プレポリマーを該キルンに１５０ｋｇ充填し、窒素を１５Ｎｍ３／時間流通し、回転数２ｒｐｍでヒーター内の温度を室温から４００℃まで５時間で昇温し、４００℃で１２時間保持した。粉砕物の温度が３４０℃に到達したことを確認し、加熱を停止してロータリーキルンを回転しながら７時間冷却して全芳香族液晶ポリエステルＡを得た。
【００３３】
全芳香族液晶ポリエステルＢの製造：
全芳香族液晶ポリエステルＡにおける原料の配合を、ｐ−ヒドロキシ安息香酸１９７．５ｋｇ（１．４３キロモル：６５モル％）、４，４’−ジヒドロキシジフェニル７１．７ｋｇ（０．３８５キロモル：１７．５モル％）、テレフタル酸６０．３ｋｇ（０．３６３キロモル：１６．５モル％）、イソフタル酸３．６５ｋｇ（０．０２２キロモル：１．０モル％）、に変え、以下全芳香族液晶ポリエステルＡと同様に溶融重縮合と固相重縮合を行い、全芳香族液晶ポリエステルＢを得た。
【００３４】
全芳香族液晶ポリエステルＣの製造：
全芳香族液晶ポリエステルＡにおける原料の配合を、ｐ−ヒドロキシ安息香酸１９７．５ｋｇ（１．４３キロモル：６５モル％）、４，４’−ジヒドロキシジフェニル７１．７ｋｇ（０．３８５キロモル：１７．５モル％）、テレフタル酸６０．３ｋｇ（０．３６３キロモル：１６．５モル％）、ヒドロキノン２．４２ｋｇ（０．０２２キロモル：１．０モル％）、に変え、以下全芳香族液晶ポリエステルＡと同様に溶融重縮合と固相重縮合を行い、全芳香族液晶ポリエステルＣを得た。
【００３５】
全芳香族液晶ポリエステルＤの製造：
全芳香族液晶ポリエステルＡにおける原料の配合を、ｐ−ヒドロキシ安息香酸１５１．９ｋｇ（１．１キロモル：５０モル％）、４，４’−ジヒドロキシジフェニル１０２．４ｋｇ（０．５５キロモル：２５モル％）、テレフタル酸９１．４ｋｇ（０．５５キロモル：２５モル％）、に変え、以下全芳香族液晶ポリエステルＡと同様に溶融重縮合と固相重縮合を行い、全芳香族液晶ポリエステルＤを得た。
【００３６】
全芳香族液晶ポリエステルＥの製造：
全芳香族液晶ポリエステルＡにおける原料の配合を、ｐ−ヒドロキシ安息香酸２２７．９ｋｇ（１．６５キロモル：７５モル％）、４，４’−ジヒドロキシジフェニル５１．２ｋｇ（０．２７５キロモル：１２．５モル％）、テレフタル酸４５．７ｋｇ（０．２７５キロモル：１２．５モル％）、に変え、以下全芳香族液晶ポリエステルＡと同様に溶融重縮合と固相重縮合を行い、全芳香族液晶ポリエステルＥを得た。
【００３７】
全芳香族液晶ポリエステルＦの製造：
全芳香族液晶ポリエステルＡにおける原料の配合を、ｐ−ヒドロキシ安息香酸１９７．５ｋｇ（１．４３キロモル：６５モル％）、４，４’−ジヒドロキシジフェニル７１．７ｋｇ（０．３８５キロモル：１７．５モル％）、テレフタル酸６０．３ｋｇ（０．３６３キロモル：１６．５モル％）、２，６−ナフタレンジカルボン酸４．７６ｋｇ（０．０２２キロモル：１．０モル％）、に変え、以下同様の溶融重合と固相重縮合を行い、全芳香族液晶ポリエステルＦを得た。
【００３８】
以下の実施例および比較例で使用した充填剤を示す。
（１）炭素繊維ａ：平均繊維径９μｍ、数平均繊維長さ６ｍｍのピッチ系チョップド炭素繊維（日本グラファイトファイバー（株）製、XN−１００−０６。電気抵抗度  １．０〜１．５×１０−６Ωｍ、熱伝導度９００Ｗ/ｍＫ以上。）
（２）炭素繊維ｂ：平均繊維径９μｍ、数平均繊維長さ１５０μｍのピッチ系ミルド炭素繊維（日本グラファイトファイバー（株）製、XN−１００−１５M。電気抵抗度  １．０〜１．５×１０−６Ωｍ、熱伝導度９００Ｗ/ｍＫ以上。）
（３）炭素繊維ｃ：平均繊維径７μｍ、数平均繊維長さ６ｍｍのPAN系チョップド炭素繊維（東邦テナックッス（株）製、ＨＴＡ−Ｃ６−Ｎ）
（４）炭素繊維ｄ：平均繊維径７μｍ、数平均繊維長さ１６０μｍのPAN系ミルド炭素繊維（東邦テナックッス（株）製、ＨＴＡ−ＣＭＦ−０１６０−ＯＨ）
（５）炭素繊維ｅ：炭素繊維ｂのボールミル粉砕品。数数平均繊維長さ３０μｍ。
（６）炭素繊維ｆ：炭素繊維ａのロービングタイプ
【００３９】
全芳香族液晶ポリエステル樹脂組成物の製造：
表１に記載の配合割合の全芳香族液晶ポリエステル、炭素繊維a〜eとをあらかじめリボンブレンダーで混合し、この混合物を２軸押出機（（株）神戸製鋼所製ＫＴＸ−４６）のホッパーから投入して、シリンダーの最高温度３７０℃で溶融混練してペレットを得た。
なお、炭素繊維fは途中のベント孔からスクリュウに巻き取らせながら、溶融混練を行った。
【００４０】
全芳香族液晶ポリエステル樹脂組成物中の炭素繊維の数平均繊維長の測定方法。
組成物ペレット約２ｇを１０％アルカリ水溶液に浸し、耐圧容器中で１２０℃で２４時間加熱し樹脂成分を加水分解して得られた炭素繊維を含有する液をスポイトを用いて１〜２滴スライドガラス上に置き、顕微鏡下に観察して、写真撮影した。この写真に撮影された炭素繊維の繊維長の測定を５００本行い、数平均繊維長を求めた。
【００４１】
光ピックアップレンズホルダーとしての制振特性等の評価方法
各樹脂組成物のペレットから、射出成形機（住友重機械工業（株）製ＳＧ−２５）を用いてシリンダー温度４１０℃の条件で、下記試験用の試験片を各５個づつ成形し、以下の方法で評価した。
（１）２次共振周波数、損失係数
幅１２．７ｍｍ、厚み０．３ｍｍ、長さ４０ｍｍの試験片により、ＪＩＳ  Ｇ  ０６０２に準じて測定を行った。上記試験片をブリュエルケア−社の加振器に有効長２０ｍｍとなるように試験片の１端を取り付け、ポリテック社のレーザー振動計にて測定を行った。２次共振点の周波数を共振周波数とし、そのときの損失係数を半値幅法により求めた．
（２）成形性（成形品外観）
幅１２．７ｍｍ、厚さ０．３ｍｍ、長さ５０ｍｍの試験片について、ルーペにて成形性を観察し、表面にフィブリル等の剥離、流動性不良による面荒れの有無を確認した。
【００４２】
表１に実施例および比較例の組成比および評価結果を示した。
【表１】
2007016071.tif 000002
【００４３】
表−１に示すように、本発明に従って製造された実施例１〜５の全芳香族ポリエステル樹脂組成物は、良好な成形性を示し、得られた射出成形品は、２次共振周波数および損失係数ともに良好な結果となり、制振性能に優れていた。これに対し、全芳香族液晶ポリエステルＤ〜Ｆを使用した比較例７〜９の樹脂組成物および成形品、全芳香族液晶ポリエステルＡ〜Ｃを用いたが充填材の配合量が本発明の範囲外の比較例１、２の樹脂組成物および成形品、および充填材の種類が本発明と異なるものである比較例３〜６の樹脂組成物および成形品は、成形性、制振性のいずれかまたは両方が、本発明に従って製造されたものより劣っていた。
【産業上の利用可能性】
【００４４】
本発明の全芳香族液晶ポリエステル樹脂成形体は、薄肉部を有する光ピックアップレンズホルダー成形材料として、特に、近年のデジタルディスク駆動装置の扱う情報の大容量化、高速化に伴い、制振特性に対する要求が厳しい光ピックアップレンズホルダー成形材料として使用でき、得られた光ピックアップレンズホルダーは、優れた制振性能を有する。